(57)【要約】【課題】同一面同士を対向させた状態で積重ねられる複数の器具を、一種類の部材によって位置決めさせることを可能にする積重ね用の位置決め具の提供を提供する。【解決手段】  折り畳み式テーブル１の裏面２ａ同士を対向させて積重ねる際、互いに係合して水平方向への位置ずれを防止する係合部材４０及び被係合部材４１を有する積重ね用の位置決め具７であって、係合部材４０及び被係合部材４１は同一の部材からなり、いずれの部材も、線対称に形成された基部４２と、基部４２の対称軸４３に関して対称な位置に設けられ互いに嵌合可能な第一嵌合部４４及び第二嵌合部４５とを備える。【選択図】        図５
2005278794.tif 000002
【特許請求の範囲】
【請求項１】
器具の同一面同士を対向させて積重ねる際、互いに係合して水平方向への位置ずれを防止する係合部材及び被係合部材を有する積重ね用の位置決め具であって、
前記係合部材及び前記被係合部材は同一の部材からなり、
いずれの部材も、
線対称に形成された基部と、
該基部の対称軸に関して対称な位置に設けられ互いに嵌合可能な第一嵌合部及び第二嵌合部と
を備えることを特徴とする積重ね用の位置決め具。
【請求項２】
前記第一嵌合部及び前記第二嵌合部の少なくともいずれか一方に、嵌合を案内するテーパー状の案内部が形成されていることを特徴とする請求項１に記載の積重ね用の位置決め具。
【請求項３】
裏面側に収容凹部を有する天板と、
該収容凹部内に配置された脚取付部と、
該脚取付部に対して回動可能に支持され、前記天板の裏面に沿う折り畳み位置と前記天板の裏面に対して起立する使用位置との間で折り畳み可能に設けられた支持脚と、
前記天板の裏面の四隅近傍に設けられ、前記支持脚の折り畳み状態において前記天板の裏面から突出し、前記天板の裏面同士を対向させて積重ねる際、互いに係合して水平方向への位置ずれを防止する係合部材及び被係合部材を有する位置決め具とを具備し、
該位置決め具における前記係合部材及び前記被係合部材は同一の部材からなり、
いずれの部材も、線対称に形成された基部と、該基部の対称軸に関して対称な位置に設けられ互いに嵌合可能な第一嵌合部及び第二嵌合部とを備えることを特徴とする折り畳み式テーブル。
【発明の詳細な説明】
【技術分野】
【０００１】
本発明は、積重ね用の位置決め具に関し、特に、折り畳み式テーブル等の器具を、同一面同士を対向させて積重ねる際、互いに係合して水平方向への位置ずれを防止する積重ね用の位置決め具、及びそれを用いた折り畳み式テーブルに関するものである。
【背景技術】
【０００２】
折り畳み式テーブル（以下、単に「テーブル」という）は、その収納及び配置が便利なことから集会所や会議室等、多人数が集合する場所において、あるいは各家庭において利用されている。従来のテーブルは、天板と、その天板の裏面に固定された左右一対の補強材と、その補強材の端部に折り畳み可能に支持された支持脚とから構成されている。このように構成されたテーブルは、支持脚が天板の裏面に沿うように折り畳まれ互いに積重ねられた状態で収容される。
【０００３】
なお、複数のテーブルを積重ねる際に、同じ向き（上向き）で積重ねると、上段に位置するテーブルの支持脚と、下段に位置するテーブルの天板とが接触し、天板の化粧面を傷つける恐れがある。特に、支持脚は、天板よりも硬い材料で形成され、しかも荷重が集中することから、上段のテーブルが下段のテーブル上で僅かに動いた場合でも、化粧面を傷つける可能性がある。
【０００４】
なお、順に積重ねられるテーブルを一つ置きに裏返し、天板と天板、または支持脚と支持脚とを互いに対向させるようにすれば、天板の傷付きが防止される。ところが、上段及び下段の支持脚同士を重ねると、上段のテーブルが水平方向に滑動しやすく、また互いに当接する部位が少なくなることから、複数のテーブルを安定した状態で積重ねることが困難となる。
【０００５】
そこで、水平方向への位置ずれを防止するため、天板の裏面四隅に位置決め具を設けるようにしたテーブルが提案されている（例えば特許文献１）。詳しくは、支持脚の折り畳み状態において天板の裏面から突出するように、位置決め具（特許文献１ではスペーサと称している）を配設するものであり、支持脚同士を対向させた状態でテーブルを積重ねる際、上段のテーブルの位置決め具と下段のテーブルの位置決め具とを互いに係合させて水平方向へのずれを防止するものである。そして、この場合、上段のテーブルにおける位置決め具を係合部とすれば、下段のテーブルにおける位置決め具は被係合部となる。換言すれば、位置決め具を天板の裏面四隅に設ける場合、積重ねた際に互いに当接する手前側の位置決め具と奥側の位置決め具とは係合部と被係合部との関係（すなわち凸と凹との関係）でなければならない。このため上記の特許文献１では、位置決め具として、少なくとも二種類の部材、すなわち係合部として機能する部材と被係合部として機能する部材を備えるようにしている。
【特許文献１】特開２０００−６０６４５号
【発明の開示】
【発明が解決しようとする課題】
【０００６】
しかし、上記の特許文献１の折り畳み式テーブルを実現しようとすると、互いに形状の異なる二種類の位置決め具を製造しなければならず、ひいては二種類の部材にそれぞれ対応した二種類の製造型を設備として導入しなければならなかった。このため、製造費が増加し、安価な商品を提供することが困難となっていた。また、二種類の位置決め具は、係合する部分の形状が互いに異なることから、異種の位置決め具が混在したり、間違った位置に取り付けたりすることがないよう、管理上及び製造上、十分な注意を払う必要があった。なぜなら、互いに対向する部分に、同一形状の位置決め具を取付けてしまうと、係合できないばかりか、例えば凸状部分と凸状部分とが当接した場合には、その部分のテーブルの高さが他の部分よりも高くなり、テーブルを水平状態に保つことができなくなるためである。
【０００７】
なお、上記では、テーブルについて詳述したが、テーブル以外の器具、例えば、パレット、架台、または棚板を積重ねる場合においても、同様の不具合を有していた。
【０００８】
そこで、本発明は、上記の実状に鑑み、同一面同士を対向させた状態で積重ねられる複数の器具を、一種類の部材によって位置決めさせることを可能にする積重ね用の位置決め具の提供、及びそれを備えた折り畳み式テーブルの提供を課題とするものである。
【課題を解決するための手段】
【０００９】
本発明にかかる積重ね用の位置決め具は、「器具の同一面同士を対向させて積重ねる際、互いに係合して水平方向への位置ずれを防止する係合部材及び被係合部材を有する積重ね用の位置決め具であって、前記係合部材及び前記被係合部材は同一の部材からなり、いずれの部材も、線対称に形成された基部と、該基部の対称軸に関して対称な位置に設けられ互いに嵌合可能な第一嵌合部及び第二嵌合部とを備える」ものである。
【００１０】
ここで、「器具」としては特に限定されるものではなく、積重ねることが可能なものであれば本発明の位置決め具を備えることが可能である。「基部」は、第一嵌合部及び第二嵌合部を設けるための基礎となる部分であり、その形状は、平面が線対称であれば特に限定されるものではない。なお、線対称な形状としては、長方形、正方形、三角形、台形、円形、及びＬ字形を例示することができる。また、「第一嵌合部及び第二嵌合部」の形状は、凹部と凸部との組合わせによって嵌合できる形状であれば特に限定されるものではない。なお、凸部の具体例としては、円柱形状、半球形状、線条形状、平板形状、または円錐形状等を挙げることができる。
【００１１】
本発明の積重ね用の位置決め具によれば、互いに係合する係合部材及び被係合部材を同一の部材から構成することが可能になる。詳細は後述するが、上段に位置する器具と下段に位置する器具とを積重ねる際、係合関係となる例えば器具手前側及び器具奥側の位置決め具を、それぞれ係合部材及び被係合部材とし、且つ、係合部材の対称軸の延長線と、器具の天地を反転させる（裏返す）際に回転中心となる中心軸との成す角度をαと仮定した場合、対称軸の延長線と中心軸との交点を中心として、係合部材を２αだけ回転させると、回転後の係合部材と被係合部材とは同一の構成を有し、同一の位置に配設されるものとなる。換言すれば、同一の部材の配設方向を互いに異ならせるだけで、係合部材及び被係合部材のいずれとしても機能させることができるようになる。
【００１２】
本発明の積重ね用の位置決め具において、「前記第一嵌合部及び前記第二嵌合部の少なくともいずれか一方に、嵌合を案内するテーパー状の案内部が形成されている」構成とすることができる。
【００１３】
ところで、上段に位置する器具の係合部材と、下段に位置する器具の被係合部材とが係合する際、係合部材の第一嵌合部と被係合部材の第二嵌合部、及び係合部材の第二嵌合部と被係合部材の第一嵌合部が夫々嵌合することとなるが、この際、第一嵌合部及び第二嵌合部の形状が、例えば略同径である円柱状及び円孔状の組合わせのように、凸部の外観形状が凹部の内部形状に略一致していると、精度の高い嵌合わせが必要となる。特に器具の底面同士を重ねる際、第一嵌合部及び第二嵌合部からなる嵌合わせ部分は外部から確認し難く、しかも、複数の位置決め具（例えば器具の四隅に配設する場合には四組の位置決め具）を同時に嵌合わせなければならないため、積重ね作業における作業者の負担が大きくなる恐れがある。
【００１４】
しかし、本発明の積重ね用の位置決め具によれば、第一嵌合部及び第二嵌合部の少なくともいずれか一方にテーパー状の案内部が形成されているため、互いに対向する第一嵌合部及び第二嵌合部を嵌合わせる際、案内部に沿って案内され、円滑に嵌合される。すなわち、器具を積重ねる際に、第一嵌合部及び第二嵌合部が相対的にずれていても、僅かであれば互いに係合させることが可能になる。
【００１５】
また、本発明にかかる折り畳み式テーブルは、「裏面側に収容凹部を有する天板と、該収容凹部内に配置された脚取付部と、該脚取付部に対して回動可能に支持され、前記天板の裏面に沿う折り畳み位置と前記天板の裏面に対して起立する使用位置との間で折り畳み可能に設けられた支持脚と、前記天板の裏面の四隅近傍に設けられ、前記支持脚の折り畳み状態において前記天板の裏面から突出し、前記天板の裏面同士を対向させて積重ねる際、互いに係合して水平方向への位置ずれを防止する係合部材及び被係合部材を有する位置決め具とを具備し、該位置決め具における前記係合部材及び前記被係合部材は同一の部材からなり、いずれの部材も、線対称に形成された基部と、該基部の対称軸に関して対称な位置に設けられ互いに嵌合可能な第一嵌合部及び第二嵌合部とを備える」ものである。
【００１６】
ここで、係合部材及び被係合部材の配設位置は天板の収容凹部内であっても、収容凹部の外周縁であってもよい。なお、係合部材及び被係合部材を天板の収容凹部内に配設する場合には、これらの部材の高さは脚取付部及び支持脚の高さ（太さ）よりも高く設定しておけばよい。一方、収容凹部の外周縁に配設する場合には、平板状とすることもできる。また、係合部材及び被係合部材を構成する材質は折り畳み式テーブルの重量を支えることができるものであればよく、例えば硬質の合成樹脂製としてもよいし、金属製としてもよい。
【００１７】
本発明の折り畳み式テーブルによれば、支持脚は、天板裏面の収容凹部に収容される折り畳み位置と天板の裏面に対して起立する使用位置との間で折り畳み可能に支持される。そして、折り畳んだ状態の折り畳み式テーブルの厚さは、天板の厚さと位置決め具の天板裏面から突出する高さとの和となり、折り畳み時における折り畳み式テーブルの厚さを薄くすることができる。従って、収納時及び運搬時において積重ねられる場合に占有空間の省スペース化が可能となり、収納効率や運搬効率を向上させることができる。
【００１８】
一方、天板裏面における四隅近傍には、天板の裏面から突出する位置決め具が設けられており、この位置決め具を構成する係合部材及び被係合部材の係合により、折り畳み式テーブルにおける水平方向への位置ずれを防止することが可能になる。なお、係合部材及び被係合部材の構成及び作用については前述したが、特に本発明では、このような構成の折り畳み式テーブルに係合部材及び被係合部材を備えることにより、天板の裏面から突出する係合部材及び被係合部材を、スペーサーとして機能させることが可能になる。すなわち、折り畳んだ状態の折り畳み式テーブルには、その裏面に配設した係合部材及び被係合部材によって指挿入用スペースが形成されるため、折り畳み式テーブルを積み重ねる際や使用時において持ち上げる際に指を挟んだりすることなく、容易に取り扱うことが可能になる。
【発明の効果】
【００１９】
このように、本発明の積重ね用の位置決め具によれば、同一面同士を対向させた状態で積重ねられる複数の器具を、一種類の部材によって位置決めさせることが可能となり、ひいては設備費及び製造費が低減されるとともに、製造管理における負担を軽減することができる。
【発明を実施するための最良の形態】
【００２０】
以下、本発明の一実施形態である位置決め具を用いた折り畳み式テーブル（以下、単に「テーブル」という）について、図１乃至図５に基づき説明する。図１及び図２はテーブルの構成を示す裏面斜視図、図３はテーブルの構成を示す部分断面図、図４は複数のテーブルを積重ねた状態を示す説明図、図５は位置決め具の構成を示す説明図である。
【００２１】
図１及び図２に示されるように、本実施形態のテーブル１は、天板２と、その天板２の裏面に固定された一対の補強枠３と、各補強枠３の両端側に隣接して設けられた４個の脚取付部材４と、各脚取付部材４に対して脚基部５を回動可能に軸着して折り畳み可能に設けられた４本の支持脚６と、脚取付部材４の近傍を囲むように配設されたＬ字状の位置決め具７とを備えている。なお、図１及び図２では、説明の便宜上、テーブル１の半分を省略した状態を示している。
【００２２】
天板２は、矩形状をなす天板本体１２と、その裏面の各周縁に対して接着剤等により固定された桟１３とからなり、天板２の裏面には平面矩形状をなす収容凹部１４が形成されている。なお、図３に示されるように、天板２の外周には軟質合成樹脂製のプロテクタ１５が配設されている。桟１３の外周には環状の係合溝１３ａが形成され、この係合溝１３ａ内にプロテクタ１５の内面に形成した係合突起１５ａを挿入することによりプロテクタ１５が取付けられている。
【００２３】
補強枠３は角形パイプからなり、天板２の収容凹部１４内に配設され、長手方向に延びる一対の桟１３に対してビス１６によって固定されている。各補強枠３の両端部には脚取付部材４が並列して配置され、補強枠３と脚取付部材４とは互いに溶接により固定されている。ここで、脚取付部材４が本発明の脚取付部に相当する。
【００２４】
また、支持脚６は、その先端部３１の近くに、互いに対向する部分を連結支持する連結部材３２を備えており、連結された一対の支持脚６の間隔は、その先端部３１において拡幅されている。また、各支持脚６の先端部３１の外側面には係合凹部３３が形成され、各補強枠３の内側面には折り畳んだ状態の支持脚６の係合凹部３３に対応する位置に係合凸部３４が形成されている。つまり、支持脚６の折り畳み時において、各支持脚６が天板２の収容凹部１４に折り畳まれると、係合凹部３３が補強枠３の係合凸部３４と係合して各支持脚６は折り畳み位置に保持されるように構成されている。
【００２５】
また、連結部材３２によって連結された各支持脚６の間には、それぞれ取付軸管３５が回動可能に取付けられており、両取付軸管３５の間には棚を形成する伸縮可能な棚管３６が設けられている。従って、テーブル1を使用する際に、各支持脚６を起立状態にすると、取付軸管３５が回動して棚管３６は伸張され、天板２の下方に棚が形成される。また、テーブル１を収納する際に、各支持脚６を折り畳み状態にすると、取付軸管３５が前記とは逆方向に回動して棚管３６は収縮され、各支持脚６は収容凹部１４の頂面（天板２の裏面）に沿うように折り畳まれる。
【００２６】
天板２の収容凹部１４内において、その四隅部には各脚取付部材４の先端側及び外側端を囲むように、合成樹脂製の平面Ｌ字状をなす位置決め具７がそれぞれ配設されている。各位置決め具７は、各支持脚６の折り畳み状態において天板２の裏面から突出し、天板２の裏面周縁に指挿入用スペースを形成するように形成されている。以下、位置決め具７（本発明の積重ね用の位置決め具に相当）について詳細に説明する。
【００２７】
図４に示すように、位置決め具７は、テーブル１の同一面同士を対向させて積重ねる際に、互いに係合して水平方向への位置ずれを防止するものである。図５（ａ）に示すように、位置決め具７は、天板２の裏面２aに対して設けられており、所定の隅部２０（例えば手前側の隅部）に配設された係合部材４０と、その隅部２０に対して隣合う反対側の隅部２１（奥側の隅部）に配設された被係合部材４１とから構成されている。なお、所定の隅部２０と反対側の隅部２１との関係は、二組のテーブル１の裏面２a同士を対向させた際（すなわち、下段に位置するテーブル１を、中心軸４６を軸として裏返した際）に互いに対向する部位である。
【００２８】
特に、上記の係合部材４０及び被係合部材４１は、同一の部材から構成されており、図５（ｂ）に示すように、いずれの部材４０，４１も、線対称な第一基部４２a及び第二基部４２bからなる基部４２と、基部４２の対称軸４３に関して対称な位置に設けられ互いに嵌合可能な第一嵌合部４４及び第二嵌合部４５とを備えている。なお、本例では第一嵌合部４４は下方に突出する円柱状の突起４４aから構成され、第二嵌合部４５は突起４４aが挿入される孔部４５aと、突起４４aを孔部４５aに案内するテーパー状の案内部４５bとから構成されている。
【００２９】
ここで、係合部材４０及び被係合部材４１を、同一の部材から構成できる理由について図５（ａ）を基に説明する。まず、係合部材４０と被係合部材４１とが係合する条件としては、（条件１）係合部材４０と被係合部材４１とが、中心軸４６に対して線対称な位置に配設されていること、（条件２）係合部材４０の基部４２と被係合部材４１の基部４２との形状が、中心軸４６に関して互いに対称であること、（条件３）係合部材４０の第一嵌合部４４（例えば凸部）と被係合部材４１の第二嵌合部４５（例えば凹部）とが、中心軸４６に対して互いに対称な位置に設けられていること、（条件４）係合部材４０の第二嵌合部４５（例えば凹部）と被係合部材４１の第一嵌合部４４（例えば凸部）とが、中心軸４６に関して互いに対称な位置に設けられていること、が挙げられる。
【００３０】
続いて、係合部材４０の対称軸４３の延長線と前述の中心軸４６との成す角度をαとし、その交点Ｏを中心として、係合部材４０を２α回転させた場合について考える。この場合、回転後の係合部材４０と回転前の係合部材４０とは、中心軸４６に対する角度（α）が等しいことから、中心軸４６に関して線対称な位置に配設される。すなわち、上記の条件１を満たすことができる。また、回転後の係合部材４０における基部４２の形状と回転前の係合部材４０における基部４２の形状とは、基部４２がそもそも線対称な形状であり且つ中心軸４６に対する角度が等しいことから、中心軸４６に関して互いに対称となる。すなわち、上記の条件２を満たすことができる。
【００３１】
また、回転後の係合部材４０における第一嵌合部４４と、回転前の係合部材４０における第二嵌合部４５とは、中心軸４６に関して互いに対称な位置に設けられ、回転後の係合部材４０における第二嵌合部４５と、回転前の係合部材４０における第一嵌合部４４とは、中心軸４６に関して互いに対称な位置に設けられる。なぜなら、互いに嵌合可能な第一嵌合部４４及び第二嵌合部４５は対称軸４３に関して対称な位置に設けられ、且つ中心軸４６に対する角度（α）が等しいことから、係合部材４０の回転によって第一嵌合部４４と第二嵌合部４５との配置が入れ替わるためである。したがって、この場合、上記の条件３，条件４も満たすことが可能になる。
【００３２】
このように、テーブル１の中心軸４６に対して係合部材４０を回転させると、係合部材４０は被係合部材４１としての条件を全て満足するものとなることから、係合部材４０及び被係合部材４１として同一の部材を用いることが可能になる。換言すれば、共通の部材の配設方向を互いに異ならせるだけで、係合部材４０及び被係合部材４１として機能させることが可能になる。
【００３３】
次に、上記のように構成されたテーブル1の作用効果について説明する。  まず、テーブル１が使用される状態、即ち支持脚６が起立状態にあるときには、図１に示すように、連結具（図示しない）が脚取付部材４の起立時係合穴（図示しない）に係合している。そして、支持脚６と脚取付部材４とは、連結具と脚側軸との間に設けたロック部材（図示しない）を介して、直角状に保持されている。
【００３４】
一方、テーブル1の収納時に、支持脚６を折り畳む際には、連結具を天板２の方向へ押して、連結具と脚取付部材４における起立時係合穴（図示しない）との係合状態を解除すると共に支持脚６を補強枠３の方向へ倒していく（図２参照）。これにより、連結具は、連結穴にガイドされながら折り畳み時係合穴の方向に引っ張られる。そして、支持脚６を補強枠３の側方に併列した状態に折り畳む。
【００３５】
そして、このようにして折り畳まれた複数のテーブル１を、図４に示すように同一面同士を対向させた状態で積重ねると、天板２の裏面２aに設けられた位置決め具７同士が係合し、水平方向へのずれが防止される。具体的には、図５（ｃ）に示すように、上段に位置するテーブル１に配設された位置決め具７（係合部材４０として機能するもの）と下段に位置するテーブル１に配設された位置決め具７（被係合部材４１として機能するもの）とにおける、第一嵌合部４４及び第二嵌合部４５が夫々嵌合し互いに係合される。
【００３６】
なお、このとき、折り畳み状態のテーブル１の合計厚さＨは、天板２の厚さＪと、位置決め具７の天板２の裏面からの突出高さＦとの合計となる。具体的に一例を示せば、天板２の厚さＪは３５ｍｍ、天板本体１２の厚さは１０ｍｍ、位置決め具７の突出高さＦは１２．５ｍｍである。そのため、折り畳み状態のテーブル１の厚さＨは４７．５ｍｍとなる。
【００３７】
このように、本実施形態の位置決め具７によれば、裏面２a同士を対向させた状態で積重ねられる複数のテーブル１を、一種類の部材によって位置決めさせることが可能となるため、設備費及び製造費を低減するとともに、製造管理における負担を軽減することができる。
【００３８】
また、本実施形態の位置決め具７によれば、第二嵌合部４５にはテーパー状の案内部４５bが形成されているため、互いに対向する第一嵌合部４４及び第二嵌合部４５を嵌合わせる際、案内部４５bに沿って案内させ、円滑に嵌合することが可能となる。すなわち、テーブル１を積重ねる際に、第一嵌合部４４及び第二嵌合部４５のいずれかが僅かにずれていても、案内部４５bによって案内されるため、簡単に積重ねることが可能になる。
【００３９】
一方、本実施形態のテーブル１によれば、折り畳み時におけるテーブル１の厚さを薄くすることができるため、収納時及び運搬時において積み重ねられる場合に占有空間が省スペース化され、収納効率や運搬効率を向上させることができる。
【００４０】
特に、このような構成のテーブル１において、位置決め具７を設けることにより、テーブル１同士の間に、指挿入用スペースを確保することが可能になり、テーブル１の収納時において積み重ねる際や使用時において持ち上げる際に天板２間に指を挟んだりすることなく、容易に取り扱うことができるようになる。
【００４１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４２】
すなわち、本実施形態では、第一嵌合部４４及び第二嵌合部４５として、円柱状の突起４４aと円孔状の第二嵌合部４５bとを備えるものを示したが、例えば図６（ａ）に示すように、複数の突条を所定の間隔で並設することにより断面が矩形波状に形成された凹凸部５２を、第一基部４２ａと第二基部４２ｂとで互いに反転するように形成してもよい。この場合、凹凸部５２同士の嵌合（噛合）によって位置決めされるとともに、矩形波状により基部４２の強度を高めることができる。
【００４３】
また、本実施形態では、係合部材４０及び被係合部材４１として、平面Ｌ字形のものを示したが、平面長方形のもの（図６（ｂ）参照）や、平面三角形のもの（図６（ｃ）参照）等、器具に対応した適切な形状に形成することも可能である。また、第一基部４２ａ及び第二基部４２ｂに対して、複数の第一嵌合部４４及び第二嵌合部４５を備えるように構成してもよい。
【００４４】
さらに、本実施形態では、折り畳まれた支持脚６が収容凹部１４内に収容されるテーブル1において、位置決め具７を採用するものを示したが、折り畳まれた支持脚６が天板２の裏面２ａから突出する一般的な折り畳み式テーブルにおいて、位置決め具７を採用するようにしてもよい。また、テーブル以外の器具、例えばパレットや棚板等において位置決め具７を備えることも可能である。
【図面の簡単な説明】
【００４５】
【図１】折り畳み式テーブルにおいて支持脚を起立させた状態を示す裏面斜視図である。
【図２】折り畳み式テーブルにおいて支持脚を折り畳んだ状態を示す裏面斜視図である。
【図３】折り畳み式テーブルの構成を示す部分断面図である。
【図４】折り畳み式テーブルを積重ねた状態を示す説明図である。
【図５】位置決め具の構成及び作用を示す説明図である。
【図６】位置決め具の他の例を示す平面図である。
【符号の説明】
【００４６】
１  テーブル（折り畳み式テーブル）
２  天板
２ａ  裏面
４  脚取付部材（脚取付部）
６  支持脚
７  位置決め具（積重ね用の位置決め具）
４０  係合部材
４１  被係合部材
４２  基部
４３  対称軸
４４  第一嵌合部
４５  第二嵌合部
４６  中心軸
【図１】
2005278794.tif 000003
【図２】
2005278794.tif 000004
【図３】
2005278794.tif 000005
【図４】
2005278794.tif 000006
【図５】
2005278794.tif 000007
【図６】
2005278794.tif 000008